(57)【要約】【課題】  複数のパネルのそれぞれに形成された取付穴に係止脚の係止肩が係合でき複数のパネルを密着させて連結できるクリップを提供する。【解決手段】  クリップ１は、第１軸部７と第１軸部７の端部から錨脚形状に開脚して延びる一対の第１係止脚９とを有する第１固定部５と、第２軸部９と第２軸部９の端部から錨脚形状に開脚して延びる一対の第２係止脚１１とを有する第２固定部６とから成り、第１係止脚と第２係止脚とが端部側で対面する状態で第１軸部と第２軸部とにおいて同軸に連結され、第１係止脚の端部及び第２係止脚の端部のそれぞれにはパネルの取付穴の縁部に係合する係止肩１３、１４が形成されており、第２係止脚１１の係止肩１４及び１４の間の長さが、第１係止脚９の係止肩１３及び１３間の長さより長く形成され、第２軸部１０には、第１係止脚対の係止肩１３、１３の各々には届かない長さのストッパ１８が形成されている。【選択図】          図２
2005233279.tif 000002
【特許請求の範囲】
【請求項１】
複数のパネルを相互に連結するためのクリップであって、
第１軸部と該第１軸部の端部から錨脚形状に開脚して延びる一対の第１係止脚とを有する第１固定部と、第２軸部と該第２軸部の端部から錨脚形状に開脚して延びる一対の第２係止脚とを有する第２固定部とから成り、
前記第１固定部と前記第２固定部とは、第１係止脚と第２係止脚とが端部側で対面する状態で第１軸部と第２軸部とにおいて同軸に連結され、前記第１係止脚の端部及び第２係止脚の端部のそれぞれにはパネルの取付穴の縁部に係合する係止肩が形成されており、
前記第１係止脚対及び前記第２係止脚対のうちの一方の係止脚対の係止肩間の長さが、他方の係止脚対の係止肩間の長さより長く形成され、係止肩間の長さが長い前記一方の係止脚対を有する固定部の軸部には、係止肩間の長さが短い前記他方の係止脚対が係止するパネルに係合する突起形状のストッパが形成され、該ストッパは、前記他方の係止脚対の係止肩間の長さ方向において該係止肩の各々には届かない幅に形成されている
ことを特徴とするクリップ。
【請求項２】
請求項１に記載のクリップにおいて、前記第１固定部及び第２固定部は、対応する軸部の端部側から見た平面視においてほぼ矩形の形状に形成され、前記軸部は、一定の幅と厚さを有する板状に形成され、前記ストッパの前記幅は、前記板状軸部の厚さと同じ長さに形成されていることを特徴とするクリップ。
【請求項３】
請求項２に記載のクリップにおいて、前記第１固定部及び第２固定部の軸部には、幅方向の中間において軸部の強度を高く維持する軸方向のリブが形成されていることを特徴とするクリップ。
【発明の詳細な説明】
【技術分野】
【０００１】
本発明は、複数のパネルを相互に連結するためのクリップに関する。
【背景技術】
【０００２】
複数のパネルを相互に連結するクリップは公知である。実開昭４９−１１９２１４号公報（特許文献１）には、大小２つのネック部の各端部に各ネック部の外径より大きい截頭円錐形状の頭部が連設され、それらの頭部にスリットを設けてパネル穴に係合できるように形成された連結ピンが開示されている。このピンは例えば２つの中空の部材を相互に連結するのに、その連結部分をボルトナットを用いずに連結でき、しかもネック部へ取付穴を挿入するだけの簡単な操作で連結できる。
【０００３】
特開平４−３２７００７号公報(特許文献２）には、２枚のパネルの側面同士を連結する両頭ピンが開示されている。ピンは軸方向に中空部が形成されて、一方のパネル側面の穴に一方の頭部を挿入して固定し、他方のパネル側面に他方の頭部を挿入して固定することによって、２つのパネルを相互に連結する。
【０００４】
特開平１１−００２２１６号公報（米国特許第５７５８０９７号に対応：特許文献３）には、第１軸部と第１軸部の端部から錨脚形状に開脚して延びる一対の第１係止脚とを有する第１固定部と、第２軸部と第２軸部の端部から錨脚形状に開脚して延びる一対の第２係止脚とを有する第２固定部とを備え、第１固定部と第２固定部とは、第１係止脚と第２係止脚とが端部側で対面する状態で第１軸部と第２軸部とにおいて同軸に連結され、第１係止脚の端部及び第２係止脚の端部のそれぞれにはパネルの取付穴の縁部に係合する係止肩が形成されている、パネル連結用のクリップが開示されている。このクリップでは、一対の第１係止脚の係止肩の間の長さが一対の第２係止脚の係止肩の間の長さより短く形成されており、第１固定部を一方のパネルの取付穴に挿入して固定し、第２固定部を他方のパネルの取付穴に挿入して固定すれば、両パネルがクリップによって連結される。
【０００５】
【特許文献１】実開昭４９−１１９２１４号公報
【特許文献２】特開平４−３２７００７号公報
【特許文献３】特開平１１−００２２１６号公報
【発明の開示】
【発明が解決しようとする課題】
【０００６】
上記特許文献１〜３に開示されたパネル連結用の固定具は、ボルト・ナットやリベットを用いずに、２枚のパネルに形成された取付穴への挿入によって両パネルを連結できるので、作業が容易であり、工具を不要にするという利点を有する。しかし、これらの固定具においては、一方のパネルと他方のパネルとを連結する部分には両パネルの間に板状部分や突起が介在する。例えば、特許文献１に記載の固定具では、大ネック部側の係止肩部分と小ネック部側の軸部との間に大径の円形板状部分が形成されている。そのため、２つのパネルを密着させるためには、その大径円形部分を避けつつ大ネック部の係止肩に係合する大径の穴を一方のパネルに形成することを必要としている。特許文献２に記載の固定具では、両頭部の中間位置に半径方向外方へ張り出す円形フランジが形成されている。そのため、パネルを密着させるためには、一方のパネル又は両方のパネルにそのフランジを避けつつ係止肩に係合する円形凹部付きの穴を必要とする。更に、特許文献３に記載の固定具では、第１固定部と第２固定部との境界部分の軸部部分に、小径の円形板部分と大径の円形板部分とが重なった段付きの円形板状部材が形成されている。そのため、２つのパネルを密着するように連結するためには、第１固定部が係止するパネルには、小径円板部分を受入れるとともに短い間隔の一対の第１係止肩に係合する取付穴を、第２固定部が係止する別のパネルには大径円板部分を受入れるとともに長い間隔の一対の第２係止肩に係合する取付穴を形成することを必要とする。
【０００７】
従って、本発明の目的は、複数のパネルのそれぞれに形成された取付穴に係止脚の係止肩を係合させて複数のパネルを密着させて連結できるクリップを提供する。
【課題を解決するための手段】
【０００８】
かかる目的を達成するため、本発明による、複数のパネルを相互に連結するためのクリップは、第１軸部と該第１軸部の端部から錨脚形状に開脚して延びる一対の第１係止脚とを有する第１固定部と、第２軸部と該第２軸部の端部から錨脚形状に開脚して延びる一対の第２係止脚とを有する第２固定部とから成り、第１固定部と第２固定部とは、第１係止脚と第２係止脚とが端部側で対面する状態で第１軸部と第２軸部とにおいて同軸に連結され、第１係止脚の端部及び第２係止脚の端部のそれぞれにはパネルの取付穴の縁部に係合する係止肩が形成されており、第１係止脚対及び第２係止脚対のうちの一方の係止脚対の係止肩間の長さが、他方の係止脚対の係止肩間の長さより長く形成され、係止肩間の長さが長い一方の係止脚対を有する固定部の軸部には、係止肩間の長さが短い他方の係止脚対が係止するパネルに係合する突起形状のストッパが形成され、該ストッパは、他方の係止脚対の係止肩間の長さ方向において該係止肩の各々には届かない幅に形成されていることを特徴とする。
【０００９】
上記クリップでは、係止肩間の長さが長い係止脚対を有する一方の固定部の軸部に形成されたストッパは、係止肩間の長さが短い係止脚対が係止するパネルに係合してパネルの軸方向の移動を規制し、そのストッパと係止肩とによってそのパネルにクリップを先付けすることができ、また、ストッパは、係止肩間が短い係止脚対の係止肩のそれぞれには届かない短い幅であるので、先付けするパネルの取付穴の形状は、その係止肩間が短い一対の係止脚の係止肩に係合する大きさであれば、係止肩間の長さが長い係止脚対が係止する別のパネルに密着させて連結できる。
【００１０】
上記のクリップにおいて、第１固定部及び第２固定部は、対応する軸部の端部側から見た平面視においてほぼ矩形の形状に形成され、軸部は、一定の幅と厚さを有する板状に形成され、ストッパは、係止肩間の長さ方向において板状軸部の厚さと同じ長さに形成されているのが好ましい。また、そのクリップにおいて、第１固定部及び第２固定部の軸部には、幅方向の中間において軸部の強度を高く維持する軸方向のリブが形成されているのが好ましい。
【発明を実施するための最良の形態】
【００１１】
以下、図面を参照しながら、本発明の１実施形態に係るクリップ１について説明する。図１〜図３に、クリップ１の詳細が示され、図４〜図９に、２つのパネル２及び３がクリップ１によって連結される手順が示されている。
【００１２】
クリップ１は、例えば硬質の合成樹脂等によって一体成形される。クリップ１は、図２の上方の２点鎖線のボックスに示す第１固定部５と下方の２点鎖線のボックスに示す第２固定部６とから成る。第１固定部５は、第１軸部７と、第１軸部７の端部(図２の上方端部）から錨脚形状に開脚して延びる一対の弾性を有する第１係止脚９、９とを包含する。第２固定部６は、第２軸部１０と第２軸部１０の端部（図２の下方端部）から錨脚形状に開脚して延びる一対の弾性を有する第２係止脚１１、１１とを包含する。図２に良く示すように、第１固定部５と第２固定部６とは、第１係止脚９、９と第２係止脚１１、１１とが端部側で対面する状態で、第１軸部７と第２軸部１０とにおいて同軸に一体的に連結されている。各第１係止脚９の開脚側の端部には、第１パネル２の取付穴の縁部に係合する係止肩１３が形成されている。また、各第２係止脚１１の開脚側の端部には第２パネル３の取付穴の縁部に係合する係止肩１４が形成されている。
【００１３】
第１固定部５は、図１の平面図に示すように、第１軸部７の上端側から見てほぼ矩形に形成されており、第１パネル２の取付穴がその矩形を受入れる大きさの矩形穴として形成されれば、第１軸部７の軸回りの回動を阻止できる。かかる矩形は、第１係止脚９が対をなして係止肩方向の長さを有し第１係止脚９及び第１軸部７が一定の横方向長さ（図１の上下方向の長さ）を有するからである。同様に、第２固定部６は、第２軸部１０の下端側から見てほぼ矩形に形成されている。これにより、第２パネル３の取付穴がその矩形を受入れる大きさの矩形穴として形成されれば、第２軸部１０の軸回りの回動を阻止できる。
【００１４】
更に、第１固定部５の第１軸部７の上端側から見た矩形の大きさは、第２固定部６の第２軸部１０の下端側から見た矩形の大きさとは違う大きさに形成されている。図示の例では、第１固定部５の矩形が、第２固定部６の矩形より小さく形成されている。これに対応して、第１パネル２の取付穴及び第２パネル３の取付穴も違う大きさの矩形穴に形成される。詳細には、第１固定部５が係合する第１パネル２の取付穴は、第１係止脚９、９を受入れる矩形穴に形成され、第２固定部６が係合する第２パネル３の取付穴も、第２係止脚１１、１１を受入れる矩形穴に形成され、第１固定部５の矩形が第２固定部６の矩形より小さく形成されているので、第１パネル２の取付穴は、第２パネル３の取付穴より小さく形成されている。もし、第１固定部５を第２パネル３に取付けても取付穴が大き過ぎて係止脚９、９が係合しないであろうし、第２固定部６を第１パネル２に取付けようとしても、第２係止脚１１が取付穴に挿入できないであろう。従って、第１固定部５は、第１パネル２にしか取付けられず、第２固定部６は、第２パネル３にしか取付けられない。
【００１５】
第１軸部７は、前記の一定の横方向長さと幅（図２の左右方向の長さ）を有する板状に形成される。その板状の第１軸部７には、横方向の中間において第１軸部７の強度を高く維持するように、軸方向に延びるリブ１５が、第１係止脚９のそれぞれに向かうように、第１軸部７の両側に形成されている。同様に、第２軸部１０は、前記の一定の横方向長さと幅を有する板状に形成され、板状の第２軸部１０には、横方向の中間において第２軸部１０の強度を高く維持するように、軸方向に延びるリブ１７が、第２係止脚１１のそれぞれに向かうように、その両側に形成されている。
【００１６】
更に、図２に示すように、一対の第１係止脚９、９及び一対の第２係止脚１１、１１のうちの一方の係止脚対（図示の例では、一対の第１係止脚９、９）の係止肩１３及び１３の間の長さＬ１は、他方の係止脚対（一対の第２係止脚１１、１１）の係止肩１４と１４の間の長さＬ２とは違う長さに形成されている。図示の例では、係止肩１４と１４の間の長さＬ２は、係止肩１３と１３の間の長さＬ１より長く形成されている。係止肩間の長さが長い（Ｌ２）一対の第２係止脚１３を有する第２固定部６の第２軸部１０には、他方の一対の第１係止脚９、９が係止する第１パネル２に係合する突起形状のストッパ１８が形成されている。ストッパ１８は、図１及び図３に示すように、第２軸部１０の横方向に張り出して形成されている。ストッパ１８は、第２係止脚１１、１１の係止肩１４及び１４間の長さ方向（図２のＬ２の方向）において、他方すなわち第１係止脚９及び９の係止肩１３、１３には届かない長さに短く形成される。図示の例では、第２軸部１０の幅と同じ長さに形成されている。これによって、先付けするパネル(第１パネル２）の取付穴の形状は、係止肩間が短い一対の第１係止脚９、９の係止肩１３、１３に係合する大きさであれば、ストッパ１８と係止肩１３との間に第１パネル２が挟持される。次に、係止肩間の長い第２係止脚１１、１１を第２パネル３の取付穴に挿入すると、第２係止脚１１、１１が取付穴をくぐり抜けて、第２パネル３は、第１パネル２に接面する。その状態で第２係止肩１４、１４が第２パネル３の取付穴に係止し、第２パネル３が第１パネル２に密着した状態で連結できる。
【００１７】
かかる構成で成るクリップ１用いて、第１パネル２に第２パネル３を連結する操作を、図４〜図９を参照して説明する。第１パネル２を第２パネル３に連結する前に、クリップ１を小さい取付穴１９を有する第１パネル２に取付ける。取付穴１９は、クリップ１の第１固定部５の第１係止脚９、９を受入れて第１係止肩１３に係止する矩形の穴に形成されている。図４の矢印２１に示すように、第１固定部５の第１係止脚９、９が第１軸部７の先端から取付穴１９に挿入される。第１係止脚９を取付穴１９に深く挿入すると、第１パネル２が、第２固定部６の第２軸部１０に形成されたストッパ１８に当接して、それ以上の挿入を阻止する。
【００１８】
図５及び図６に図示のように、第１係止脚９、９の係止肩１３、１３が取付穴１９の縁部に係合するとともに、ストッパ１８が第１パネル２の反対側の面に当接し、係止肩１３とストッパ１８で第１パネル２を挟持する状態になって、クリップ１が第１パネル２に取付けられる。このように、クリップ１は第１パネル２に先付けできる。クリップ１の第１パネル２への先付けは、第２パネル３のある場所で行ってもよいが、第２パネル３から離れた場所で行うこともできる。例えば、第２パネル３は、エレベータの壁部パネルである場合、その壁部パネルに取付ける第１パネル２に工場等においてクリップ１を先付けしておき、エレベータを設置する現場にクリップ付きの第１パネル２を納品するようにしてもよい。これによって、クリップ１を単独で納品する必要がなくなり、作業現場においてクリップ１を第１パネル２に取付ける手間を省くことができる。
【００１９】
第１パネル２を第２パネル３に連結するため、図７の矢印２２に示すように、第１パネル２に取付けられたクリップ１の第２固定部６が、第２パネル３の取付穴２３に挿入される。取付穴２３は、第２固定部６の第２係止脚１１、１１を受入れて第２係止肩１４に係止する矩形の穴に形成されている。第２固定部６の第２係止脚１１を取付穴２３に挿入するには、クリップ１を矢印２２の方向に直接押込んでもよく、第１パネル２を持って第２パネル３に接面するように押込んでもよい。第１パネル２が第２パネル３に接面するまでクリップ１の第２固定部６を取付穴２３に押込むと、第２係止脚１１の第２係止肩１４が取付穴２３の縁部に係合する。
【００２０】
図８及び図９に図示のように、第２係止脚１１、１１の係止肩１４、１４が取付穴２３の縁部に係合するとともに、第１パネル２には第２パネル３の反対側の面が当接して密着するので、係止肩１４と第１パネル２とで第２パネル３を挟持する状態になり、これによって、クリップ１は、第１パネル１を第２パネル３に連結する。この連結において、第２係止脚１１、１１を第２パネル３の取付穴２３に挿入した場合、図８に示すように、ストッパ１８はその挿入を阻害せず、第２係止脚１１、１１が取付穴２３をくぐり抜け、第２パネル３は第１パネル２に密接に接面することができる。その密着状態で係止肩１４、１４が第２パネル３の取付穴に係止するので、第２パネル３が第１パネル２に密着した状態で連結できる。
【００２１】
上記の説明では、連結するパネルは２個であるが、３個以上のパネルであっても連結することができる。また、連結するパネルがエレベータの側面壁板である場合、かご室外では作業スペースは狭いけれど、一方のパネルにクリップを先付けできるので、パネルの連結作業を支障なくすることができ、その作業も一方のパネルを他方のパネルに押付けて係合するだけの作業であるので、工具を必要とせず、作業時間も大幅に短縮できる。
【図面の簡単な説明】
【００２２】
【図１】本発明の１実施形態に係るクリップ１の平面図である。
【図２】図１のクリップの正面図である。
【図３】図１のクリップの側面図である。
【図４】図１のクリップを第１パネルに取付ける前の正面図である。
【図５】図１のクリップを第１パネルに取付けた後の側面図である。
【図６】図１のクリップを第１パネルに取付けた後の正面図である。
【図７】図１のクリップを第２パネルに取付ける前の正面図である。
【図８】図１のクリップを第２パネルに取付けた後の側面図である。
【図９】図１のクリップを第１パネルに取付けた後の正面図である。
【符号の説明】
【００２３】
１  クリップ
２  第１パネル
３  第２パネル
５  第１固定部
６  第２固定部
７  第１軸部
９  第１係止脚
１０  第２軸部
１１  第２係止脚
１３  第１係止肩
１４  第２係止肩
１５、１７  リブ
１８  ストッパ
１９  第１パネルの取付穴
２３  第２パネルの取付穴
【図１】
2005233279.tif 000003
【図２】
2005233279.tif 000004
【図３】
2005233279.tif 000005
【図４】
2005233279.tif 000006
【図５】
2005233279.tif 000007
【図６】
2005233279.tif 000008
【図７】
2005233279.tif 000009
【図８】
2005233279.tif 000010
【図９】
2005233279.tif 000011